(57)【要約】【課題】  複数段に積み重ねて収容した物品の姿勢の乱れを防ぐことができる包装用容器を提供する。【解決手段】  底壁１１と、底壁から上方に延びる本体周壁１２と、本体周壁の上端の内側の領域に形成された本体開口部１３と、を有する容器本体１と、容器本体に着脱可能である蓋体２であって、第１方向に延びる後側上壁側縁６１Ａを有し、容器本体に取り付けた状態において本体開口部を覆う上壁２１と、後側上壁側縁から下方に延び且つ容器本体に取り付けた状態において本体周壁と対峙する後側蓋体側壁６３Ａを含む蓋体周壁２２とを有する蓋体２と、基端部が後側蓋体側壁に連なり、蓋体周壁の内側に向かって延び、先端部に上下方向及び第１方向に延びる規制面３１を有する物品移動規制体３と、を備える。【選択図】      図１
0003216572.tif 000002
【実用新案登録請求の範囲】
【請求項１】
底壁と、底壁から上方に延びる本体周壁と、前記本体周壁の上端の内側の領域に形成された本体開口部と、を有する容器本体と、
前記容器本体に着脱可能である蓋体であって、第１方向に延びる第１上壁側縁を有し、前記容器本体に取り付けた状態において前記本体開口部を覆う上壁と、前記第１上壁側縁から下方に延び且つ前記容器本体に取り付けた状態において前記本体周壁と対峙する第１蓋体側壁を含む蓋体周壁とを有する蓋体と、
基端部が前記第１蓋体側壁に連なり、前記蓋体周壁の内側に向かって延び、先端部に上下方向及び前記第１方向に延びる規制面を有する物品移動規制体と、を備える、包装用容器。
【請求項２】
前記物品移動規制体は、前記蓋体を前記容器本体に取り付けた状態において前記容器本体の内部空間に位置する第１規制部及び第２規制部を有し、
前記第１規制部は、基端部が前記第１蓋体側壁に連なり、前記蓋体周壁の内側に向かって延び、
前記第２規制部は、前記規制面を有し、基端部が前記第１規制部の先端部に連なり、前記上壁に向かって延び、先端部が前記上壁に隣接して位置する、請求項１に記載の包装用容器。
【請求項３】
前記物品移動規制体は、更に延長部を含み、
前記延長部は、基端部が前記第２規制部の先端部に連なり、前記上壁に沿って延び、先端部が一方の前記第１蓋体側壁に隣接して位置する、請求項２に記載の包装用容器。
【請求項４】
前記容器本体は、前記蓋体を前記容器本体に取り付けた状態において前記規制面の下端を通る仮想の水平面である第１平面と前記底壁との間の空間領域に規定された第１収容部と、前記蓋体を前記容器本体に取り付けた状態において前記第１平面と前記本体開口部との間且つ前記規制面の前記物品移動規制体が位置する側と反対側の空間領域に規定された第２収容部とを有する、請求項１乃至３の何れか１に記載の包装用容器。
【考案の詳細な説明】
【技術分野】
【０００１】
本考案は、包装用容器に関する。
【背景技術】
【０００２】
従来から内容物の破損を防止することができる包装箱が知られている（例えば特許文献１参照）。この包装箱は、上蓋下面に折曲弾性押圧片を設けている。この折曲弾性押圧片は、外方に向かって拡開することによって内容物を押圧固定する。これによって、折曲弾性押圧片は緩衝部材として作用し、内容物の破損を防止することができる。
【先行技術文献】
【特許文献】
【０００３】
【特許文献１】登録実用新案第３０２４２９５号公報
【考案の概要】
【考案が解決しようとする課題】
【０００４】
ところで、幅寸法及び奥行寸法のサイズが互いに異なる物品を複数段に積み重ねて収納する場合がある。しかし、特許文献１に記載の包装箱は、例えばサイズの小さい物品が箱内部で水平方向に移動し、物品の姿勢が乱れたりする場合があった。
【課題を解決するための手段】
【０００５】
上記課題を解決するため、本考案のある態様に係る包装用容器は、底壁と、底壁から上方に延びる本体周壁と、前記本体周壁の上端の内側の領域に形成された本体開口部と、を有する容器本体と、前記容器本体に着脱可能である蓋体であって、第１方向に延びる第１上壁側縁を有し、前記容器本体に取り付けた状態において前記本体開口部を覆う上壁と、前記第１上壁側縁から下方に延び且つ前記容器本体に取り付けた状態において前記本体周壁と対峙する第１蓋体側壁を含む蓋体周壁とを有する蓋体と、基端部が前記第１蓋体側壁に連なり、前記蓋体周壁の内側に向かって延び、先端部に上下方向及び前記第１方向に延びる規制面を有する物品移動規制体と、を備える。
【０００６】
この構成によれば、複数段に積み重ねて収容した物品の姿勢の乱れを防ぐことができる。
【０００７】
前記物品移動規制体は、前記蓋体を前記容器本体に取り付けた状態において前記容器本体の内部空間に位置する第１規制部及び第２規制部を有し、前記第１規制部は、基端部が前記第１蓋体側壁に連なり、前記蓋体周壁の内側に向かって延び、前記第２規制部は、前記規制面を有し、基端部が前記第１規制部の先端部に連なり、前記上壁に向かって延び、先端部が前記上壁に隣接して位置してもよい。
【０００８】
この構成によれば、規制面を適切に配置することができる。
【０００９】
前記物品移動規制体は、更に延長部を含み、前記延長部は、基端部が前記第２規制部の先端部に連なり、前記上壁に沿って延び、先端部が一方の前記第１蓋体側壁に隣接して位置してもよい。
【００１０】
この構成によれば、物品移動規制体の型崩れを防止することができる。
【００１１】
前記容器本体は、前記蓋体を前記容器本体に取り付けた状態において前記規制面の下端を通る仮想の水平面である第１平面と前記底壁との間の空間領域に規定された第１収容部と、前記蓋体を前記容器本体に取り付けた状態において前記第１平面と前記本体開口部との間且つ前記規制面の前記物品移動規制体が位置する側と反対側の空間領域に規定された第２収容部とを有していてもよい。
【００１２】
この構成によれば、２段に積み重ねて収容した物品の姿勢の乱れを防ぐことができる。
【考案の効果】
【００１３】
本考案は、複数段に積み重ねて収容した物品の姿勢の乱れを防ぐことができるという効果を奏する。
【図面の簡単な説明】
【００１４】
【図１】本考案の実施の形態に係る包装用容器の構成例を示す斜視図であり、容器本体から蓋体を取り外した状態を示す図である。
【図２】図１の包装用容器の構成例を示す断面図であり、左右方向に対して直交する平面で切断した断面を示す図である。
【考案を実施するための形態】
【００１５】
以下、本考案の実施の形態について、図面を参照しながら説明する。なお、本実施の形態によって本考案が限定されるものではない。また、以下では、全ての図を通じて、同一又は相当する要素には同一の参照符号を付して、その重複する説明を省略する。
【００１６】
図１は、本考案の実施の形態に係る包装用容器１００の構成例を示す斜視図であり、容器本体１から蓋体２を取り外した状態を示す図である。図１において、取り外した蓋体２は、蓋体２の後側が図の下側に位置し、蓋体２の前側が図の上側に位置するように示している。図２は、包装用容器１００の構成例を示す断面図であり、左右方向に対して直交する平面で切断した断面を示す図である。
【００１７】
図１及び図２に示すように、包装用容器１００は、例えばサイズの異なる贈答用の物品を２段に積み重ねた状態で収容するための容器である。贈答用の物品とは、例えば、ソーセージ、ハム等の加工食品である。
【００１８】
包装用容器１００は、容器本体１、蓋体２、及び物品移動規制体３を備える。
【００１９】
容器本体１は、厚紙を折り曲げて形成される。容器本体１は、例えば左右方向（第１方向）が前後方向よりも長い平面視長方形の箱であり、底壁１１と、本体周壁１２とを含む。図１に示すように、容器本体１の形態として、浅皿状に形成されたものを例示している。以下では、説明の便宜上、後述する後側底壁側縁５１Ａが左右方向に延びるように位置させた状態を基準に方向を説明する。しかし、容器本体１は、前後方向に延びるように位置させて用いられてもよい。
【００２０】
底壁１１は、平板状に形成され、その上に収容物が載置される。底壁１１の周縁は、左右方向に延びる後側底壁側縁５１Ａ及び前側底壁側縁５１Ｂ、並びに前後方向に延びる左側底壁側縁５２Ａ及び右側底壁側縁５２Ｂを含む。このように、平面視長方形に形成された容器本体１において、後側底壁側縁５１Ａは、底壁１１の長辺を構成する。しかし、これに限られるものではなく、短辺であってもよい。また、容器本体１は平面視円形に形成されてもよく、この場合、使用状態において後側に位置する辺が後側底壁側縁５１Ａである。
【００２１】
本体周壁１２は、容器本体１の内部空間を囲むように配設され、底壁１１に載置された収容物の容器本体１の外部への移動を規制する。本体周壁１２は、底壁１１の周縁から上方に延びる。すなわち、本体周壁１２は、後側底壁側縁５１Ａ、前側底壁側縁５１Ｂ、左側底壁側縁５２Ａ、及び右側底壁側縁５２Ｂからそれぞれ上方に延びる後側本体側壁５３Ａ、前側本体側壁５３Ｂ、左側本体側壁５４Ａ、及び右側本体側壁５４Ｂを含む。このように、本体周壁１２が容器本体１の周囲を一続きに取り囲む。しかし、本体周壁１２は、途中で途切れていてもよく、また、平面視において任意の形状としてもよい。
【００２２】
そして、本体周壁１２の上端の内側の領域に本体開口部１３が形成されている。この本体開口部１３を通じて、底壁１１、本体周壁１２、本体開口部１３によって囲まれる内部空間に物品を収容したり、収容された物品を取り出したりすることができる。
【００２３】
そして、図２に示すように、容器本体１は、内部空間に第１収容部６と、第１収容部６の上に積み重ねるように配置された第２収容部７とを有する。第１収容部６は、上下方向において、底壁１１と本体開口部１３との間に位置する水平面である第１平面Ｓ１と底壁１１との間に位置する空間領域である。また、第２収容部７は、第１収容部６の上に積み重ねられて位置する空間領域であり、上下方向において、第１平面Ｓ１と本体開口部１３との間、且つ、前後方向において、規制面３１の後側に位置する空間領域である。なお、第１収容部６及び第２収容部７は、左右方向において、左側本体側壁５４Ａと右側本体側壁５４Ｂとの間に位置する。このように、第２収容部７は、第１収容部６よりも前後寸法が小さく形成され、第１収容部６に収容される物品よりも前後寸法が小さな物品を収容するために適した領域である。また、容器本体１の内部空間の上下寸法は、第１収容部６の上下寸法と第２収容部７の上下寸法との合計と略同一寸法に形成され、第１収容部６及び第２収容部７に収容された物品が容器本体１の内部で上下方向に移動することを規制している。
【００２４】
蓋体２は、厚紙を折り曲げて形成される。蓋体２は、容器本体１に着脱可能に構成され、容器本体１に嵌めることができるようになっている。蓋体２は、上壁２１と、蓋体周壁２２と、蓋開口部２３とを含む。
【００２５】
上壁２１は、底壁１１と略相似形の平板状に形成され、底壁１１よりも左右寸法及び前後寸法が若干大きく形成されている。上壁２１は、左右方向に延びる後側上壁側縁６１Ａ及び前側上壁側縁６１Ｂ、並びに前後方向に延びる左側上壁側縁６２Ａ及び右側上壁側縁６２Ｂを含む。上壁２１は、蓋体２を容器本体１に取り付けた状態において、本体開口部１３を覆う。
【００２６】
蓋体周壁２２は、蓋体２を容器本体１に取り付けた状態において、本体周壁１２の外側に位置するように形成されている。蓋体周壁２２は、後側上壁側縁６１Ａ、前側上壁側縁６１Ｂ、左側上壁側縁６２Ａ、及び右側上壁側縁６２Ｂからそれぞれ下方に延びる後側蓋体側壁（第１蓋体側壁）６３Ａ、前側蓋体側壁６３Ｂ、左側蓋体側壁６４Ａ、及び右側蓋体側壁６４Ｂを含む。容器本体１に取り付けた状態において、後側蓋体側壁６３Ａ、前側蓋体側壁６３Ｂ、左側蓋体側壁６４Ａ、及び右側蓋体側壁６４Ｂは、それぞれ後側本体側壁５３Ａ、前側本体側壁５３Ｂ、左側本体側壁５４Ａ、及び右側本体側壁５４Ｂと対峙するように配設されている。そして、蓋体周壁２２の下端の内側の領域に蓋開口部２３が形成されている。蓋開口部２３を通じて蓋体２の内側に容器本体１を位置させるように蓋体２を容器本体１に被せることができる。これによって、蓋体２を容器本体１に取り付けることができる。
【００２７】
また、紙を折り曲げて形成される蓋体２は、展開状態において、上壁２１を構成する片と、上壁２１を構成する片から後方に延びる後側蓋体側壁６３Ａを構成する片と、上壁２１を構成する片から前方に延びる前側蓋体側壁６３Ｂを構成する片と、上壁２１を構成する片から左方に延びる左側蓋体側壁６４Ａを構成する片と、上壁２１を構成する片から右方に延びる右側蓋体側壁６４Ｂを構成する片とを有する。そして、後側蓋体側壁６３Ａは、後側蓋体側壁６３Ａを構成する片を下方に折り曲げ、更に、当該片の先側を内側に折り込むことによって形成される。前側蓋体側壁６３Ｂ、左側蓋体側壁６４Ａ、及び右側蓋体側壁６４Ｂを構成する片についても同様である。
【００２８】
物品移動規制体３は、図２に示すように、蓋体２を容器本体１に取り付けた状態において容器本体１の内部空間に位置する。物品移動規制体３は、基端部３ａが後側蓋体側壁６３Ａに連なり、蓋体周壁２２の内側に向かって延びる。そして、先端部３ｂに上下方向及び左右方向に延びる規制面３１が形成されている。物品移動規制体３は、例えば、後側蓋体側壁６３Ａを構成する片の先端部から延びる片によって形成され、第１規制部７１と、第２規制部７２と、延長部７３とを含む。このように、物品移動規制体３は、蓋体２を構成する片と一体的に構成されているので、物品移動規制体３の構成を簡素化することができ、製造に有利、且つ、製造コストも安価となる。
【００２９】
また、物品移動規制体３は、図１に示すように左端３ｃと左側蓋体側壁６４Ａとが離間しており、右端３ｄと右側蓋体側壁６４Ｂとが離間している。そして、蓋体２を容器本体１に取り付けると、左側本体側壁５４Ａは物品移動規制体３の左端３ｃと左側蓋体側壁６４Ａとの間に位置し、右側本体側壁５４Ｂは物品移動規制体３の右端３ｄと右側蓋体側壁６４Ｂとの間に位置する。このように、蓋体２を容器本体１に取り付けたときに、物品移動規制体３と容器本体１とが干渉することを防止している。
【００３０】
第１規制部７１は、図２に示すように、基端部が後側蓋体側壁６３Ａを構成する片の先端に連なり、上壁２１（後側上壁側縁６１Ａ）の近傍に位置している。そして、第１規制部７１は、蓋体周壁２２の内側に向かって斜め下方に延びる。そして、第１規制部７１は、先端部の端縁７４が左右方向に延びている。この端縁７４は、第１平面Ｓ１上又は第１平面Ｓ１の近傍に位置する。
【００３１】
第２規制部７２は、規制面３１を有し、基端部が第１規制部７１の先端部に連なり、上壁２１に向かって延びる。そして、第２規制部７２は、先端部が上壁２１に隣接して位置する。この第２規制部７２の後側の面が規制面３１である。
【００３２】
すなわち、第１収容部６は、蓋体２を容器本体１に取り付けた状態において、規制面３１下端を通る仮想の水平面である第１平面Ｓ１と底壁１１との間の空間領域に規定されている。そして、第１収容部６に収容された物品の上方への移動は、第１収容部６に収容された物品が規制面３１の下端に当接することによって規制される。また、第２収容部７は、蓋体２を容器本体１に取り付けた状態において、第１平面Ｓ１と本体開口部１３との間、且つ規制面３１の物品移動規制体３が位置する側とは反対側の空間領域に規定されている。そして、第１収容部６に積み重ねられ、第２収容部７に収容された物品の前後方向への移動は、第２収容部７に収容された物品が規制面３１に当接することによって規制される。これによって、輸送中に第１収容部６及び第２収容部７に収容された物品が容器本体１の中で動いて損傷することを防止することができる。また、包装用容器１００に収容された物品が贈答品である場合、当該物品を受け取った者が包装用容器１００を開けたときに、第２収容部７に収容された贈答品の姿勢が乱れた状態でこの者に視認されることを防止することができ、贈答品としての格が損なわれることを防止することができる。
【００３３】
延長部７３は、基端部が第２規制部７２の先端部に連なり、上壁２１に沿って延び、先端部が後側蓋体側壁６３Ａに隣接して位置する。そして、延長部７３の先端部は第１規制部７１の基端部と上壁２１との間に挟まれて位置している。したがって、第２収容部７に収容された物品が規制面３１に当接して、延長部７３が蓋体周壁２２の外側に向かう方向に移動すると、後側蓋体側壁６３Ａに隣接して位置する延長部７３の先端部が後側蓋体側壁６３Ａに当接して、延長部７３の移動が規制される。これによって、物品移動規制体３の型崩れを防止することができる。
【００３４】
このように、規制面３１を含む第２規制部７２の上端及び下端は、それぞれ、延長部７３及び第１規制部７１によって支持されている。これによって、簡易な構成で、第２収容部７に収容された物品の前後方向への移動を適切に規制することができる。
【００３５】
そして、表面に滑り止め加工が施され、底壁１１と略同一の左右寸法及び前後寸法を有する滑り止めシート４が底壁１１の上に載置されてもよい。これによって、第１収容部６に収容された物品の水平方向の移動をより適切に規制することができる。
【００３６】
以上に説明したように、本考案の包装用容器１００は、規制面３１が、第１収容部６に収容された物品の上方への移動、及び第１収容部６に収容された物品よりも前後寸法が小さい第２収容部７に収容された物品の後方への移動を規制することができ、輸送中に第１収容部６及び第２収容部７に収容された物品が周囲の環境と衝突して損傷することを防止することができる。また、包装用容器１００に収容された物品が贈答品である場合、当該物品を受け取った者が包装用容器１００を開けたときに、第１収容部６及び第２収容部７に収容された贈答品の姿勢が乱れた状態でこの者に視認されることを防止することができ、贈答品としての格が損なわれることを防止することができる。
【００３７】
上記説明から、当業者にとっては、本考案の多くの改良や他の実施形態が明らかである。従って、上記説明は、例示としてのみ解釈されるべきであり、本考案を実行する最良の態様を当業者に教示する目的で提供されたものである。本考案の精神を逸脱することなく、その構造及び／又は機能の詳細を実質的に変更できる。
【符号の説明】
【００３８】
１  容器本体
２  蓋体
３  物品移動規制体
１１  底壁
１２  本体周壁
１３  本体開口部
２１  上壁
２２  蓋体周壁
３１  規制面
５１Ａ  後側底壁側縁
５３Ａ  後側本体側壁
６１Ａ  後側上壁側縁
６３Ａ  後側蓋体側壁
１００  包装用容器
【図１】
0003216572.tif 000003
【図２】
0003216572.tif 000004